【手続補正書】
【提出日】平成30年2月5日(2018.2.5)
【手続補正１】
【補正対象書類名】明細書
【補正対象項目名】００３５
【補正方法】変更
【補正の内容】
【００３５】
ここで、電磁気発生コイル５からの電場雰囲気が発生する原理を説明する。パルスジェネレータＢと電磁気発生コイルコイル５との構成の場合、パルスジェネレータは、電圧出力と周波数出力を可変設定でき、パルス電流は電磁気発生コイル５へ供給できる。パルス電流の発生周期は、周波数ボリュームで調整可能である。
例えば、周波数を４Ｈｚにすれば１秒間に４回パルス電流が発生し、２０Ｈｚにすれば１秒間に２０回パルス電流が発生する。そして、パルス電流によるパルス磁気が発生する時の電場雰囲気の強弱を、電圧調節ボリューム７によって手動で決定できる。
【手続補正２】
【補正対象書類名】明細書
【補正対象項目名】００３６
【補正方法】変更
【補正の内容】
【００３６】
パルスジェネレータＢから電磁気発生コイル５に供給されるパルス電流（例えば１μ秒）は、立ち上りが鋭く続いてなだらかに下るため、これによる誘起電圧は正負非対象の波形になる。生体の細胞膜には、ある値以上の電圧を与えないと電流が流れない特性があるため、非対象の誘起電圧が加わる波形上部の高い電圧の時、体内の細胞膜に磁気が流れることになる。その作用でローレンツ力という力で血液中の鉄分やその他のイオンが影響を受けマイナスイオンになり、これにより、生体に対し血行促進効果、血圧降下、鎮痛効果、催眠効果、疲労回復、骨折等を修復する細胞増殖効果などの相乗効果を引き出すことができる。これが上下対称的な波形では、生体内で発生したイオンは次の半サイクルで逆極性のイオンが発生し、即時に中和して温熱効果を発生するだけで上述のような効果は期待できない。
なお、連続的に発生するパルス電流による、約１μ秒（１／１０００秒）のパルス磁気の発生時のみローレンツ力効果でマイナスイオンが発生する。このパルス電流の発生数は、パルスジェネレータＢの周波数調整ボリューム８を手動で回して決定する。
【手続補正３】
【補正対象書類名】明細書
【補正対象項目名】００３７
【補正方法】変更
【補正の内容】
【００３７】
本発明の電磁気発生マッサージ器の第２の実施形態について、図２と図３を用いて説明する。第２の実施形態は、電力に基づいて作動するマッサージ器本体Ａの振動部分１に、図２４に示すような電磁気発生変形コイル５−１を、スポンジ６で上下から挟んで設け、カバー１８（図３を参照）で覆ったものである。そして、パルスジェネレータＢから電磁気発生変形コイル５−１へパルス電流を通電して、機械的振動と電場雰囲気を同時に身体に与える。
【手続補正４】
【補正対象書類名】明細書
【補正対象項目名】００３９
【補正方法】変更
【補正の内容】
【００３９】
具体的に、エナメル線は、太さ３ｍｍの裸電線にエナメル塗料を塗布して絶縁しているが、その上から更にビニールテープを巻いて電気を絶縁するものでもよい。これは、元のエナメル線のまま使用すると、エナメル線が重なっている所が振動によって擦れてしまい、絶縁体のエナメル塗料が剥がれ落ちてショートする。特に、電圧が高い場合では大きな火花が散って危険である。また、パルスジェネレータＢが故障するのを防ぐ目的もある。またここではエナメル線を使用しているが、ビニール線や他の絶縁線を使用しても構わない。
【手続補正５】
【補正対象書類名】明細書
【補正対象項目名】００４４
【補正方法】変更
【補正の内容】
【００４４】
また、図８に示すように増幅アンプ１６の音量ボリュームの強弱で体感音響振動装置１０の振動の強弱が調整できるようになっている。振動の調整は、デジタル合成低音信号音源１４の音程を上げると振動回数が速くなり、音程を下げると振動回数が遅くなるようにしている。身体の各部位で共振周波数が異なるので、音源１４の音程を上下させ、身体の共振周波数に合わせると振動がその部位の深部まで伝えることが可能であり、同時に電磁気発生コイル５も強く振動しながら電場雰囲気を身体に与えることができる。このデジタル合成低音信号音源には、多くの音源が入っていてそれぞれ振動の種類が異なるため、振動の感触を各自の好みに合わせて選び身体に与えることが可能である。そしてこの振動は数種類組み合わせて再現させることや、選んだ順番に再現させて振動させることも可能である。
【手続補正６】
【補正対象書類名】明細書
【補正対象項目名】００６７
【補正方法】削除
【補正の内容】
【手続補正７】
【補正対象書類名】明細書
【補正対象項目名】００６８
【補正方法】変更
【補正の内容】
【００６８】
体内の血液の流れに乗ったマイナスイオンが活性酸素と出会うことで普通の酸素に還元して最後には水になる。この活性酸素を消すことで怖い体内の酸化や炎症を取り除く実効が得られる。
【手続補正８】
【補正対象書類名】明細書
【補正対象項目名】００７０
【補正方法】変更
【補正の内容】
【００７０】
最後に、例えば、頭に乗る大きさの電磁気発生コイルを使用して、人間の脳波をパルス電流で誘導することもできる。パルス電流の周波数は、０．５〜３Ｈｚで熟睡、無意識状態のデルタ波、４〜７Ｈｚでまどろみ、入眠時、ひらめきなどの状態のシーター波、８〜１４Ｈｚでリラックス、集中や瞑想状態のアルファー波、１４〜２０Ｈｚで緊張、心配事や起きている状態のベーター波の４種類に分類され、アルファー波では簡単に高僧が行う瞑想状態に入ることが可能になる。
例えば、２０Ｈｚの周波数では体の細胞膜へ１秒間に２０回もの直流パルス磁気を流すことができる。これにより生体に対してローレンツ力の効果によるマイナスイオン発生回数が最大になり、マッサージ器の振動を強にした場合、うっ血した筋肉の疼痛等が血行循環促進により軽減或いは消滅する傾向になるであろう。なお、こういった効果はレーザー・ドップラー血流計で既に確認されている。
【手続補正９】
【補正対象書類名】明細書
【補正対象項目名】００７１
【補正方法】変更
【補正の内容】
【００７１】
１          振動部分
１ａ        電動モータ
１ｂ        偏心回転軸
１ｃ        モータ強弱切替スイッチ
１ｄ        バネ
１ｅ        電圧側スイッチ
１ｆ        周波数側スイッチ
２          木槌
３          導子
４          低周波パルス発生器
５          電磁気発生コイル
５−１      電磁気発生変形コイル
５−２      放射線状電磁気発生変形コイル
６          スポンジ
６−１      電源スイッチ  
７          電圧調節ボリューム
８          周波数節整ボリューム
９          振幅制御ユニット
１０        体感音響振動装置
１１        スピーカ
１２        チェア
１３        ベッド
１４        デジタル合成低音信号音源
１５        持ち手
１６        増幅アンプ
１８        カバー
１９        電源用コンセント
２１        コイル支持台
２２        固定具
Ａ          マッサージ器本体
Ａ−２      据え置き型マッサージ器
ａ          磁力の流れる方向
Ｂ          パルスジェネレータ
Ｂ−１      小型パルスジェネレータ
Ｃ          電磁気発生コイル出力端子
Ｄ          音楽の低周波信号電流
Ｅ          バッテリー
Ｇ          電圧メーター